(57)【特許請求の範囲】
【請求項１】
容器から液体を重力供給するための分配蓋であって、
空洞を構成し、蓋を容器に着脱自在に装着すべく結合させる手段を有する本体と、
前記本体から延在する注ぎ口であって、ピンが設けられた外面と、端末の開口部と、流量を変化させるために設けられた調整分配弁と、を有する注ぎ口と、を備え、
前記調整分配弁は、
第１及び第２の両端部を有する筒状本体、前記第２の端部に連続し前記第１の端部から離れるにしたがって径が減じるテーパ部、および前記テーパ部に連続して形成され一定の径の首部を有するスリーブを含み、筒状部分に前記ピンが入る傾斜した溝が形成され、前記溝は各筒状部分の第２の端部から軸方向に離間された上端部を有する、第１の部品と、
前記開口部に接続され、前記開口部の両端部に開口部、第１および第２のシールが設けられ、前記第１のシールは前記溝の上端部と前記筒状部分の第２の端部との間の、前記第１の部品の筒状部分の内面のシールを構成し、前記第２のシールは前記首部の内面のシールを構成する、第２の部品と、
を有する分配蓋。
【請求項２】
前記第２の部品は、前記開口部に接続された径が一定の下部と、前記下部から離間するとともに互いに傾斜して延びる一組のアームと、前記アームに支持され前記下部から離れたディスク状端部とを含み、前記ディスク状端部は前記下部の軸を横切るように平面的に延在し、前記第１のシールは前記下部の周囲に設けられ、前記第２のシールは前記ディスク上端部の周囲に設けられている請求項１記載の蓋。
【請求項３】
前記空洞および大気間の流体連通を可能にする空気抜き通路と、前記空気抜き通路を選択的に開閉する空気抜き弁とをさらに備えた請求項２記載の蓋。
【請求項４】
前記空気抜き通路は、蓋の下面に通じる第１の開口部を有する請求項３記載の蓋。
【請求項５】
前記空気抜き通路は、前記空洞および前記空気抜き弁に通じる第２の開口部を有し、前記空気抜き弁は、第２の開口部を封止するために常時偏向され、手動操作アクチュエータに接続されたシールを含む請求項４記載の蓋。
【請求項６】
前記シールは、細長いピンを介して前記アクチュエータに接続され、前記アクチュエータは、前記空気抜き通路を介して前記蓋が装着された容器内に空気を流入できる偏向に抗して前記シールを開くように押し下げ可能なボタン状に形成されている請求項５記載の蓋。
【請求項７】
前記蓋に、蓋が容器に装着されたときに容器を運ぶことができ、当該容器を操作できるハンドルが設けられた請求項１〜６の何れかに記載の蓋。
【請求項８】
前記アクチュエータは、前記空気抜き弁がハンドルを把持している手によって作動できるようにハンドル内に配置されている請求項７記載の蓋。
【発明の詳細な説明】
【０００１】
【発明の技術分野】
本発明は、限定はされないが、特に容器から液体を重力供給するための分配蓋に関する。
【０００２】
【発明の背景】
液体分配容器に、液体を重力供給するための注ぎ口または他の開口部を形成することは公知である。この種の容器としては、たとえばヤカン、じょうろおよび油缶を挙げることができる。しかし、この種の容器は、容器が保たれる角度を変化させることによって以外に、分配率を制御することはできない。また， この種の容器は、偶然に倒されると、収容された液体がこぼれてしまう。注ぎ口は、常に容器のボディに一体的に形成される。したがって、分配されるべき液体が、注ぎ口または他の便利な分配メカニズムを有しない異なる容器に収容されている場合、その液体を、最初の容器から、液体の分配制御が可能な分配メカニズムを有する容器へ移すことが必要となる。
【０００３】
【発明の概要】
本発明の目的は、容器内の液体を制御可能に重力供給で分配でき、選択的に容器に接続できる分配蓋を提供することにある。
【０００４】
本発明によれば、容器から液体を重力供給するための分配蓋であって、空洞を構成し、封止状態で蓋を容器に着脱自在に装着する本体と、前記本体から延在し、その許容流量を変化させるための調整可能な供給弁を有する注ぎ口と、前記空洞および大気間の流体連通を可能にする空気抜き通路と、前記空気抜き通路を選択的に開閉し、空気抜き通路を封止する閉位置に偏向された手動操作空気抜き弁とを有し、前記供給弁および空気抜き弁は、別々に制御可能とされ、使用に際し、前記分配蓋が前記手段によって液体が収容された容器に装着されたときに、液体は、注ぎ口を介して重力により前記供給弁および／または前記空気抜き弁の状態または条件によって制御される率で分配される分配蓋が提供される。
【０００５】
好ましくは、前記蓋に、蓋が容器に装着されたときに容器を運ぶことができ、当該容器を操作できるハンドルが設けられている。
【０００６】
好ましくは、前記空気抜き通路は、前記空洞および前記空気抜き弁に通じる第２の開口部を有し、前記空気抜き弁は、第２の開口部を封止するために常時偏向され、手動操作アクチュエータに接続されたシールを含む。
【０００７】
好ましくは、前記シールは、細長いピンを介して前記アクチュエータに接続され、前記アクチュエータは、前記空気抜き通路を介して前記蓋が装着された容器内に空気を流入できる偏向に抗して前記シールを開くように押し下げ可能なボタン状に形成されている。
【０００８】
【好適な実施例の詳細な説明】
添付図面に記載のように、容器（図示せず）から液体を重力供給する分配蓋１０は、空洞１４を構成するとともに、ねじ部１６により、封止状態で蓋１０を容器に着脱自在に装着するための本体１２を有する。注ぎ口１８は本体１２から延在し、液体が注ぎ口１８の中を流れることができる率を変化させるための調整分配弁２０が装着されている。空気抜き通路２２は、空洞１４および外部の空気間の流体連通を可能にするために、蓋に形成されている。また、蓋１０は、空気抜き通路２２を選択的に開閉するための手動操作式空気抜き弁２４を有する。空気抜き弁２４は、通常は、通路２２（図１に示す）を閉じる方向に偏向されている。使用中は、蓋１０は、ねじ部１６によって液体が収容された容器に装着することができ、液体は、弁２０および２４の位置または状態に依存している率で、重力の作用により注ぎ口１８を介して分配または注がれる。
【０００９】
蓋１０にはハンドル２６が一体的に形成され、当該蓋１０を容器に装着することで、ハンドル２６により容器を運搬および操作することができる。空気抜き通路２２は、実質的に水平方向の通路２８および相交わっている実質的に垂直方向の通路３０とを有するＴ字状とされている。通路２８および３０は、ハンドル２６内および隣接して形成されている。通路２２は、蓋１０の下の表面に通じる垂直通路３０の下端に、第１の開口部３２を有する。通路２２の第２の開口部３４は、空洞１４に隣接した水平通路２８の内側の最も端に設けられている。開口部３４から離れた水平通路２８の部分３６は、空気抜き弁２４のハウジング構成部品のために大径とされている。
【００１０】
空気抜き弁２４は、通常第２の開口部３４を封止するために一方に偏向され、ピンまたはロッド４０を通して作動装置にプッシュ・ボタン４２の形で接続されるシール３８を含む。これをハンドル２６を把持している手で操作することができるために、プッシュ・ボタン４２は、部分的に水平通路２８の部分３６内に位置して、そこから延在する。また、ばね４４が部分３６内に配置され、ボタン４２の対向端部および通路２８の部分３６を形成するために大径とされた段部となる肩部４６で隣接する。ばね４４は、開口部３４を封止して、閉鎖すべき位置に、シール３８に偏りをかけるために予付加されている。
【００１１】
第２の運搬用ハンドル４８は、蓋１０およびこれに装着される容器を容易に運送できるように本体１２の上部に一体的に形成されている。
【００１２】
弁２０は、全閉と全開との間を約１８０°回転することができ、注ぎ口１８の開口部の大きさ、したがって注ぎ口１８によって分配される液体の流れ率の大きさが変化する。弁２０は、注ぎ口１８の外部に摺動可能に保持されるアウタスリーブ５０としての第１の部品と、ネジ・カップリングにより内部の壁に注ぎ口１８の末端で取付けられる第２の部品５２（図１および図５Ａおよび５Ｂ参照）とを有する。スリーブ５０は、ぎりぎり注ぎ口１８の外径より大きい内径の円筒形の本体５４を有する。これに隣接して、注ぎ口１８から離れるにしたがって径が減じる先細りにされた部分５６は、本体５４の一端に形成されている。一定の直径の頸部５８は、先細りにされた部分５６に隣接して形成されている。傾斜した溝６０は、本体５４に切られて、それぞれの端座部６４Ａおよび６４Ｂに導かれる拘束部６２Ａおよび６２Ｂを有するそれぞれの対向端部に設けられている。軸方向に伸びている通路６６は、溝６０にスリーブ５０の最下端部６８から通じている本体部分５４の内面に形成されている。
【００１３】
弁２０の第２の部分５２は、注ぎ口１８の末端の内部に形成される対応するねじ部に螺合するねじ部７２により形成される一定の直径の下部７０を有する。Ｏリング７６を収容するための環状の溝を備えている放射状に伸びているフランジ７４が、より低い部分７０の上端にある。固いディスク状端部７８は、フランジ７４より上の中央に間隔を置かれている。端部７８は、フランジ７４および端７８により一体的に形成された一組の傾斜したアーム８０で支えられている。フランジ７４および端部７８の間隔は、注ぎ口１８の下へ液体が流れるための開口部８２を形成する。端部７８は、また、更なるＯリング８４を収容するための環状の溝により形成される。短い直立したピン８６が、溝６０に位置するように注ぎ口１８に形成されている（図１および３参照）。
【００１４】
弁２０を注ぎ口１８に取り付けるために、第２の部分５２は最初に注ぎ口１８の末端にねじ込まれ、そうすると、通路６６がピン８６に整列するために導かれ、スリーブ５０は注ぎ口１８の外部の上へ滑り込むことになる。ピン８６の高さは、通路６６の高さまたはクリアランスよりわずかに大きいように設計され、これにより、ピン８６が通路６６を通過して溝６０に入ったときに、名目上の力が逆方向にスナップ型カップリングを提供しているピン８６を通じて、スリーブ５０を押すために打ち勝つことになる。全閉位置において、ピン８６が拘束部６２Ｂを通って座部６４Ｂに入るために、スリーブ５０は回される。この構成において、Ｏリング７４は、ちょうど先細りにさられた部分５６の開始の下部で、本体５４の内部に対して押し付けられ、また、Ｏリング８４はカラー５８の内部に対して押し付けられる。これにより、開口部８２は、液体の注ぎ口１８からの漏洩を防止するように効果的に封止される。全開位置へ移動するために、スリーブ５０はシャフト１８上を時計回りの方向に回転せしめられる。これにより、溝６０にピン８６を係合すべく、スリーブ５０は、その回転方向前方に動くようになる。この結果、Ｏリング８４は頸部５８の下で間隔を置かれ、スリーブ５０の内部に触れないで、液体が開口部８２を介して分配されることになる。Ｏリング７６は、下端部６８の方へ本体５４間の液体および方向の注ぎ口１８の逆流を防いでいる本体５４の内部と接触したままである。弁２０は、ピン８６が拘束部６２Ａを介して座部６４Ａに強制的に入れるまでスリーブ５２を回すことにより、全開位置に着脱自在にロックされる。スリーブ５０の回転によって２つの座部６４Ａおよび６４Ｂ間のピン８６の位置を変化させることによって、弁２０の開度は調節される。
【００１５】
蓋１０は、ボディ１２に形成されたねじ部１６に螺合できるねじ部を有する、全ての液体が収容された容器に着脱自在に付けることができる。したがって、蓋１０は、標準の容器を重力送りの液体分配器に変えることができる。液体の分配率は、弁２０および２４の位置または状態によって制御することができる。弁２０が開き、蓋１０および容器に衝撃が加えられても、蓋１０が封止状態で容器に付けられるならば、空気抜き弁２４が自動的に閉じて保たれるので、液体は全く又は最小の漏洩で済むことになる。従って、容器内部および外部の空気圧力は均一化できず、これにより、元々容器にどれだけ満たされていたかどうかに依存しながら、最小限の量の液体のみしか漏洩することができない。
【００１６】
弁２０が特定の位置で保たれる場合、液体の分配率は、ハンドル２６を把持している手で、プッシュ・ボタン４２に対する親指圧力を変化させ、これにより空気抜き通路２２の開度を変化させることよって簡単に制御することができる。蓋１０は、ねじ部１６に適合したねじ部を有する首部が形成され、スクリューキャップにより常閉とされた多くの液体容器を有する液体の分配システムへの編入に特に役立つ。この種のシステムにおいて、蓋１０は容器にネジでとめることができ、液体をその容器から分配するために用いることができる。容器が空であるときは、蓋１０はその容器からネジで取り外すことができ、他の満杯の容器にネジで留めることができる。
【００１７】
上記の説明から、液体の供給および空気抜きを別個独立に規則することができる蓋については、実施例に係る蓋１０は、いかなる容器も制御可能な重力送り分配器に変換することができる。
【００１８】
本発明の実施例が詳細に記載されているので、多数の変更態様およびバリエーションは、基本的発明の概念から逸脱しない限り、当業者にとって明らかである。例えば、蓋１０は、スナップ結合金具、口金結合金具または押圧結合を含む容器に装着する結合又は固定システムのいかなるタイプのものにも設けることができる。更に、図１に示すように、蓋を容器に装着する手段は、内部ではなく空洞１４が形成された外部であっても良い。また、空気抜き通路の最初の開口部３２は、蓋１０の下の表面上の以外の位置に形成することもできる。ただし、通路２２に塵埃または他の外部からの物体の侵入を減少させるように、この位置は好適な実施例において選ばれる。そのような全ての変更態様およびバリエーションは、当業者にとって明らかである他のものとともに、上記の説明および独立した請求項から決定される本質に基づき、本発明の範囲内である。
【図面の簡単な説明】
【図１】本発明の実施例の断面図である。
【図２】図１に示される蓋の底面図である
【図３】図１および２に示される蓋の斜視図である
【図４Ａ】図１および２に示される蓋の分配している弁の１つの一部の側面図である
【図４Ｂ】図４Ａに示される弁の最初の一部の底面図である
【図５Ａ】図１および２に示される蓋の弁を分配することの第２の一部の側面図である
【図５Ｂ】図５Ａに示される弁の第２の一部の底端面図である。
【符号の説明】
１０…分配蓋
１２…本体
１４…空洞
１６…ねじ部
１８…注ぎ口
２０…調整分配弁
２２…空気抜き通路
２４…空気抜き弁
２６…ハンドル
２８，３０…通路
３２…第１の開口部
３４…第２の開口部
３８…シール
４０…ロッド
４２…プッシュボタン
４４…バネ
５０…スリーブ
【図１】
0003578715.tif 000002
【図２】
0003578715.tif 000003
【図３】
0003578715.tif 000004
【図４Ａ】
0003578715.tif 000005
【図４Ｂ】
0003578715.tif 000006
【図５Ａ】
0003578715.tif 000007
【図５Ｂ】
0003578715.tif 000008